(57)【要約】      （修正有）【課題】仮付けした粘着テープの剥がしを容易にするため、テープ端に剥離用タブを自動的に形成するテープカッターを提供する。【解決手段】  粘着テープカッターのテープ端部の固定台３上に上下に搖動自在のローラー４を、ならびに開方端、閉方端へ搖動自在に設置された可動切断歯５をカッター本体１の端部に設置し、かつローラー４と切断歯５の駆動レバーは連接棒７によって結合されており、そのためテープをテープリールから引き出す際にテープに生じる張力によってローラー４が押し上げられると連接棒７によって連動する切断歯５も自動的に開方端へ移動し、次いでテープを切断歯５で切断することによってテープの張力が失われるとローラー４の重力および内部に設けられたスプリング等によって切断歯５は閉方端に自動的に移動し、同時に切断歯５の先端に付着しているテープの端部も閉方端側へ引き戻されてループ９を形成する。【選択図】図２
0003117560.tif 000002
【実用新案登録請求の範囲】
【請求項１】
粘着テープカッターのテープ端部の固定台３上に上下に搖動自在のローラー４を、ならびに開方端、閉方端へ搖動自在に設置された可動切断歯５をカッター本体１の端部に設置し、かつローラー４と切断歯５の駆動レバーは連接棒７によって結合されており、そのためテープをテープリールから引き出す際にテープに生じる張力によってローラー４が押し上げられると連接棒７によってローラー４と連動する切断歯５も自動的に開方端へ移動し、次いでテープを切断歯５で切断することによってテープの張力が失われるとローラー４の重力および内部に設けられたスプリング等によって切断歯５は閉方端に自動的に移動し、同時に切断歯５の先端に付着しているテープの端部も閉方端側へ引き戻されてループ９を形成する構造を有する粘着テープカッター。
【請求項２】
可動切断歯５を開方端に固定させて剥離用タブを形成しない通常のテープカッターとしても使用可能とするよう、可動切断歯５を開方端に固定するための偏芯カムまたはストッパー機構を有する請求項１の粘着テープカッター。（図５参照）
【請求項３】
剥離用タブの長さを自由に選択可とするため、可動切断歯５の開方端ストッパーの位置を可変とする機構を有する請求項１の粘着テープカッター。（図６参照）
【考案の詳細な説明】
【技術分野】
【０００１】  本考案は仮付けした粘着テープの剥がしを容易にするための剥離タブを形成する粘着テープカッターに関する。
【背景技術】
【０００２】  スーパーやコンビニ、総菜屋、菓子点等で販売される食品の包装には粘着テープで固定された樹脂製パックが多用されている。
この粘着テープは開梱時には剥がし取らねばならないが、透明であること等からテープ端部が見付け難く、かつ強固に付着している場合には爪を立てて剥がし取らねばならぬなど厄介なことが多い。
これを解決する手段として、従来から次の二つの方法が考案されている。
ａ．テープ端部の粘着面に別用紙（剥離タグ）を貼り付けて不着部分を作る。
ｂ．テープ端部を折り返して不着部分を作る。
しかしながらａの方法は剥離タグ用の用紙を別途に準備せねばならないため、手間がかかると共にコストアップが避けられない。
またｂの方法による発明または考案の例として下記のものがあるが、折り返し部を作るためにハンドルを回すなどの操作が要る、操作に指先の熟練を要する、両手操作が必要、モーターなどの他の動力源を必要とするなどそれぞれに問題を持っており、広く普及するには至っていない。
・  特開２０００−１０９２６３
・  特開２０００−２３３８６４
・  特開２００４−２８４６８７
・  特開平０８−２２５２３３
【考案の開示】
【考案が解決しようとする課題】
【０００３】  そこで請求項１の本考案は、卓上用のテープカッターに、テープを引き出し切断する動作を利用して自動的にテープ端部に折り返しループを作るメカニズムを付加し、特別な操作や熟練を要せず、また他の動力を必要とせず一般のテープカッターと同じ要領で使用して剥離タブ付きテープを容易に作成できる粘着テープカッターを提供する。
【課題を解決するための手段】
【０００４】  卓上用の粘着テープカッターのテープ端部の固定台３上に上下に搖動自在のローラー４を、ならびに開方端、閉方端へ搖動自在に設置された可動切断歯５をカッター本体１の端部に設置し、かつローラー４と切断歯５の駆動レバーは連接棒７によって結合されており、そのためテープをテープリールから引き出す際にテープに生じる張力によってローラー４が押し上げられると連接棒７によって連動する切断歯５も自動的に開方端へ移動し、次いでテープを切断歯５で切断することによってテープの張力が失われるとローラー４の重力および内部に設けられたスプリング等によって切断歯５は閉方端に自動的に移動し、同時に切断歯５の先端に付着しているテープの端部も閉方端側へ引き戻されてループ９を形成する。
このループ部を指で摘みテープを引き出し切断することで端部に剥離用のタブを持ったテープが得られ、この操作を繰り返すことで連続して剥離タブ付きのテープを作ることが出来る。
【考案の効果】
【０００５】  安価でポータブルな機器であり、スーパーなど大型店だけでなく、小商店や一般家庭においても容易に剥離タブ付きのテープを作成し利用することが出来る。
【考案を実施するための最良の形態】
【０００６】  本考案のテープカッターを製作するには機構自体は簡単であり特別な技術は必要としないが、安定したループ形成と操作の容易性、安全性を確保するために設計は次の点に留意する必要がある。
１．テープを引き出す際に生じるテープ張力を利用しているため、テープカッターはそれに耐えられる重量（約８００ｇｒ．以上）が必要である。
そのため本体は樹脂よりも金属製（鋳鉄または合金鋳物）とすることが望ましく、ローラー、切断歯など可動部分の耐久性確保にとってもそれが望ましい。
２．ループの形成を安定して行わせるためには、テープの引き戻し時に逆向きに（粘着面を外側に）折れ込むことを防ぐ、また切断歯５の閉方端への移動時にテープ全体が後戻りすることを防がねばならない。
このためローラーと接するテープ固定台３の断面形状を図３の如くとし、ローラーがテープを押し下げる際に固定台の高さの差（Δｈ）によってテープの端を上向きに蹴り上げて逆向きループとなることを防ぎ、同時にテープを固定台３に付着させて後戻りを防ぐ構造とする。
なお、固定台３とローラーとの接触面は、繰り返し使用しても余分な粘着剤が付着せぬよう出来るだけ幅を狭くすることが望ましい。
３．テープ引き出し初期には可動切断歯５と指は接近しており、切断歯５と接触して指を傷付ける危険がある。また切断歯５の動きは使用に慣れるにつれて操作者の予想以上に早くなることが考えられるため、設計上から次の配慮が必要である。
ａ．切断歯の移動方向は可能な限り下向き（指から離れる方向）となること。
ｂ．切断歯５に接続する連接棒７の連接穴８は長穴として遊びを持たせ、テープ引き出し初期にはその遊び分だけ連接棒７は作用せず、ローラーが然るべき高さに達した後に初めて連接棒７が作用して切断歯５が動き始める構造とする。すなわち指が切断歯５から充分に離れた後に切断歯５は移動を開始する構造とすること。【０００７】  図５は請求項２の可動切断歯５を開方端部へ固定し、剥離タブを形成しない通常のテープカッターとして使用するための機構の例を示す。
偏芯カム１０をツマミで固定側、解放側へ回転させることによって切断歯５の可動、固定を選択する。偏芯カムに依らずともストッパーなどのロック機構によっても可である。【０００８】  図６は剥離タブの長さ（Ｌ）を自由に選択出来るようにするための機構の例を示す。
剥離タブの長さは可動切断歯５のストロークに比例するため、その開方端ストッパー１１の位置をスクリューのつまみ１２を回すことで可変とする機構の例を示す。
通常、剥離タブの長さは長、中、短など数種を選択できれば充分であると考えられるため、スクリューによらずともスペーサを出し入れするなどの簡単な機構とすることも可である。
【産業上の利用可能性】
【０００９】  事業用、また一般家庭用のテープカッターとして利用できる。
【図面の簡単な説明】
【００１０】
【図１】  テープカッターの上面図である。
【図２】  テープカッターの側面図である。
【図３】  テープ固定台３の詳細断面図
【図４】  テープカッターの使用手順。
【図５】  偏芯カムを用いて可動切断歯５を固定する機構の例
【図６】  可動切断歯５の開方端位置を調整可能とする機構の例
【記号の説明】
【００１１】１    テープカッターの本体
２    テープリール
３    固定台
４    搖動ローラー
５    可動切断歯
６    ストッパー
７    連接棒
８    連接穴
９    テープ端のループ
１０  偏芯カム
１１  可動ストッパー
１２  調整つまみ
【図１】
0003117560.tif 000003
【図２】
0003117560.tif 000004
【図３】
0003117560.tif 000005
【図４】
0003117560.tif 000006
【図５】
0003117560.tif 000007
【図６】
0003117560.tif 000008
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
【実用新案登録請求の範囲】
【請求項１】
粘着テープカッターのテープ端部の固定台３上に上下に搖動自在のローラー４を、ならびに開方端、閉方端へ搖動自在に設置された可動切断歯５をカッター本体１の端部に設置し、かつローラー４と切断歯５の駆動レバーは連接棒７によって結合されており、そのためテープをテープリールから引き出す際にテープに生じる張力によってローラー４が押し上げられると連接棒７によってローラー４と連動する切断歯５も自動的に開方端へ移動し、次いでテープを切断歯５で切断することによってテープの張力が失われるとローラー４の重力および内部に設けられたスプリング等によって切断歯５は閉方端に自動的に移動し、同時に切断歯５の先端に付着しているテープの端部も閉方端側へ引き戻されて、剥離タブとなるループ９をテープの先端部に形成する機構を有する粘着テープカッター。
【請求項２】
可動切断歯５を開方端に固定させて剥離用タブを形成しない通常のテープカッターとしても使用可能とするよう、可動切断歯５を開方端に固定するためのロック機構を有する請求項１の粘着テープカッター。
【請求項３】
剥離用タブの長さを自由に選択可とするため、可動切断歯５の開方端ストッパーの位置を可変とする機構を有する請求項１および２の粘着テープカッター。
【手続補正書】
【提出日】平成17年9月20日(2005.9.20)
【手続補正１】
【補正対象書類名】実用新案登録請求の範囲
【補正対象項目名】請求項２
【補正方法】変更
【補正の内容】
【請求項２】
可動切断歯５を開方端に固定させて剥離用タブを形成しないテープカッターとしても使用可能とするよう、可動切断歯５を開方端に固定するためのロック機構を有する請求項１の粘着テープカッター。